(57)【特許請求の範囲】
【請求項１】
所定の減圧状態とされる第１低圧空間（12）を有し、該第１低圧空間（12）内で水を蒸発させる蒸発部（10）と、
上記第１低圧空間（12）から水蒸気を吸引して昇圧させる昇圧手段（50,90）と、
水蒸気を透過させる透湿膜（31）により区画されて上記昇圧手段（50,90）で昇圧された水蒸気が導入される第２低圧空間（32）を有し、上記透湿膜（31）を透過させて第２低圧空間（32）から水蒸気を排出する水蒸気放出部（30）とを備えており、
上記水蒸気放出部（30）は、透湿膜（31）における第２低圧空間（32）と反対側の表面を大気と接触させて上記第２低圧空間（32）の水蒸気を大気中へ放出するように構成されているヒートポンプ。
【請求項２】
水蒸気を透過させる透湿膜（11）によって第１低圧空間（12）が区画され、該第１低圧空間（12）を所定の減圧状態とし、且つ上記透湿膜（11）における第１低圧空間（12）と反対側の表面を水と接触させて、該水から蒸発した水蒸気を第１低圧空間（12）側へ移動させる蒸発部（10）と、
上記第１低圧空間（12）から水蒸気を吸引して昇圧させる昇圧手段（50,90）と、
水蒸気を透過させる透湿膜（31）により区画されて上記昇圧手段（50,90）で昇圧された水蒸気が導入される第２低圧空間（32）を有し、上記透湿膜（31）を透過させて第２低圧空間（32）から水蒸気を排出する水蒸気放出部（30）とを備えており、
上記水蒸気放出部（30）は、透湿膜（31）における第２低圧空間（32）と反対側の表面を大気と接触させて上記第２低圧空間（32）の水蒸気を大気中へ放出するように構成されているヒートポンプ。
【請求項３】
水蒸気を透過させる透湿膜（11）により仕切られて第１低圧空間（12）と空気空間（13）とが区画され、上記第１低圧空間（12）を所定の減圧状態とし、且つ上記空気空間（13）に空気及び水を導入し、上記空気空間（13）における水の蒸発により空気を冷却すると共に空気空間（13）の水蒸気を第１低圧空間（12）へ移動させる蒸発部（10）と、
上記第１低圧空間（12）から水蒸気を吸引して昇圧させる昇圧手段（50,90）と、
水蒸気を透過させる透湿膜（31）により区画されて上記昇圧手段（50,90）で昇圧された水蒸気が導入される第２低圧空間（32）を有し、上記透湿膜（31）を透過させて第２低圧空間（32）から水蒸気を排出する水蒸気放出部（30）とを備えており、
上記水蒸気放出部（30）は、透湿膜（31）における第２低圧空間（32）と反対側の表面を大気と接触させて上記第２低圧空間（32）の水蒸気を大気中へ放出するように構成されているヒートポンプ。
【請求項４】
水蒸気を透過させる透湿膜（11）によって第１低圧空間（12）が区画され、該第１低圧空間（12）を所定の減圧状態とし、且つ上記透湿膜（11）における第１低圧空間（12）と反対側の表面を被冷却空気と接触させて、該被冷却空気中の水蒸気を第１低圧空間（12）側へ移動させる水蒸気分離部（15）と、
上記第１低圧空間（12）から水蒸気を吸引して昇圧させる昇圧手段（50,90）と、
水蒸気を透過させる透湿膜（31）により区画されて上記昇圧手段（50,90）で昇圧された水蒸気が導入される第２低圧空間（32）を有し、上記透湿膜（31）を透過させて第２低圧空間（32）から水蒸気を排出する水蒸気放出部（30）と、
上記水蒸気分離部（15）から供給された被冷却空気を加湿によって冷却する加湿冷却部（25）とを備えており、
上記水蒸気放出部（30）は、透湿膜（31）における第２低圧空間（32）と反対側の表面を大気と接触させて上記第２低圧空間（32）の水蒸気を大気中へ放出するように構成されているヒートポンプ。
【請求項５】
請求項１乃至４の何れか一つに記載のヒートポンプにおいて、
水蒸気を透過させる透湿膜（41）によって第３低圧空間（42）が区画される一方、上記昇圧手段（50,90）で昇圧された水蒸気を第３低圧空間（42）へ導入し、且つ上記透湿膜（41）における第３低圧空間（42）と反対側の表面を水と接触させ、上記第３低圧空間（42）の水蒸気が透湿膜（41）を透過して凝縮するように構成された凝縮部（40）を備え、
上記凝縮部（40）における水蒸気の凝縮熱を利用して対象物を加熱する動作を行うように構成されているヒートポンプ。
【請求項６】
請求項５に記載のヒートポンプにおいて、
対象物を加熱する動作と、蒸発部（10）における水の蒸発潜熱を利用して対象物を冷却する動作とを切り換えて行うように構成されているヒートポンプ。
【請求項７】
請求項１乃至６の何れか一つに記載のヒートポンプにおいて、
第２低圧空間（32）の抽気を行う抽気手段（65）を備えているヒートポンプ。
【請求項８】
請求項１乃至７の何れか一つに記載のヒートポンプにおいて、
昇圧手段（50）は、吸引した水蒸気を圧縮して昇圧させる圧縮機（50）により構成されているヒートポンプ。
【請求項９】
請求項１乃至７の何れか一つに記載のヒートポンプにおいて、
昇圧手段（90）は、吸湿と放湿とを行う吸収媒体を備え、吸収媒体の吸湿によって水蒸気を吸引し、吸収媒体を加熱して放湿させることによって水蒸気を昇圧させるように構成されているヒートポンプ。
【請求項１０】
請求項１乃至７の何れか一つに記載のヒートポンプにおいて、
昇圧手段は、加熱により水蒸気を発生させる水蒸気発生手段（115）と、該水蒸気発生手段（115）で発生した水蒸気の噴流によって第１低圧空間（12）から水蒸気を吸引するエゼクタ（110）とより構成されているヒートポンプ。
【発明の詳細な説明】
【０００１】
【発明の属する技術分野】
本発明は、水蒸気を冷媒とするヒートポンプに関する。
【０００２】
【従来の技術】
従来より、特開平６−２５７８９０号公報に開示されているように、水の蒸発及び凝縮を利用して冷房と暖房を行うヒートポンプが知られている。
【０００３】
冷房時において、上記ヒートポンプは、減圧状態（例えば、４〜５mmHg程度）に保持された真空容器内に給水し、真空容器内に貯留する水が自己蒸発することによって冷水を生成する。生成した冷水は、ポンプによって大気圧にまで昇圧されて真空容器から取り出され、冷房に利用される。また、真空容器は、内部の水蒸気が圧縮機によって排出されて減圧状態に維持される。圧縮機により排出した水蒸気は、凝縮器へ導入される。凝縮器の伝熱管では冷却水が流通し、管内の冷却水によって管外で水蒸気を凝縮させる。
【０００４】
一方、暖房時において、上記ヒートポンプは、熱源水と熱交換させた水を真空容器に供給して蒸発させる。真空容器の水蒸気は、圧縮機により圧縮されて凝縮器に送られる。尚、水蒸気の圧力は、圧縮後においても大気圧よりも低い。一方、凝縮器の伝熱管には、水を流通させる。そして、管内の水と管外の水蒸気とを熱交換させ、水蒸気の凝縮熱により管内の水を加熱する。生成した温水は、暖房に利用される。
【０００５】
【発明が解決しようとする課題】
上述のような大気圧以下の状態の水蒸気を冷媒とする従来のヒートポンプでは、蒸発させた水蒸気を処理するために該水蒸気を凝縮器へ導入し、伝熱管内の冷却水で冷却して凝縮させていた。一方、従来より、液体である水は透過させないが気体である水蒸気は透過可能な透湿膜が知られている。ところが、低圧の水蒸気を冷媒とするヒートポンプにおいて、蒸発させた水蒸気の処理に透湿膜が利用されておらず、この透湿膜を利用した新たな装置の出現が望まれていた。
【０００６】
本発明は、かかる点に鑑みてなされたものであり、その目的とするところは、大気圧以下の状態の水蒸気を冷媒とするものであって、水蒸気の処理に透湿膜を利用したヒートポンプを提供することにある。尚、本明細書では、ヒートポンプの概念は、いわゆる冷凍装置をも包含するものとする。つまり、本明細書におけるヒートポンプは、熱を汲み出して対象物の冷却のみを行うものであってもよく、熱を汲み上げて対象物の加熱のみを行うものであってもよい。
【０００７】
【課題を解決するための手段】
−解決手段−
本発明が講じた第１の解決手段は、ヒートポンプを対象とし、所定の減圧状態とされる第１低圧空間（12）を有し、該第１低圧空間（12）内で水を蒸発させる蒸発部（10）と、上記第１低圧空間（12）から水蒸気を吸引して昇圧させる昇圧手段（50,90）と、水蒸気を透過させる透湿膜（31）により区画されて上記昇圧手段（50,90）で昇圧された水蒸気が導入される第２低圧空間（32）を有し、上記透湿膜（31）を透過させて第２低圧空間（32）から水蒸気を排出する水蒸気放出部（30）とを設けるものである。
【０００８】
本発明が講じた第２の解決手段は、ヒートポンプを対象とし、水蒸気を透過させる透湿膜（11）によって第１低圧空間（12）が区画され、該第１低圧空間（12）を所定の減圧状態とし、且つ上記透湿膜（11）における第１低圧空間（12）と反対側の表面を水と接触させて、該水から蒸発した水蒸気を第１低圧空間（12）側へ移動させる蒸発部（10）と、上記第１低圧空間（12）から水蒸気を吸引して昇圧させる昇圧手段（50,90）と、水蒸気を透過させる透湿膜（31）により区画されて上記昇圧手段（50,90）で昇圧された水蒸気が導入される第２低圧空間（32）を有し、上記透湿膜（31）を透過させて第２低圧空間（32）から水蒸気を排出する水蒸気放出部（30）とを設けるものである。
【０００９】
本発明が講じた第３の解決手段は、ヒートポンプを対象とし、水蒸気を透過させる透湿膜（11）により仕切られて第１低圧空間（12）と空気空間（13）とが区画され、上記第１低圧空間（12）を所定の減圧状態とし、且つ上記空気空間（13）に空気及び水を導入し、上記空気空間（13）における水の蒸発により空気を冷却すると共に空気空間（13）の水蒸気を第１低圧空間（12）へ移動させる蒸発部（10）と、上記第１低圧空間（12）から水蒸気を吸引して昇圧させる昇圧手段（50,90）と、水蒸気を透過させる透湿膜（31）により区画されて上記昇圧手段（50,90）で昇圧された水蒸気が導入される第２低圧空間（32）を有し、上記透湿膜（31）を透過させて第２低圧空間（32）から水蒸気を排出する水蒸気放出部（30）とを設けるものである。
【００１０】
本発明が講じた第４の解決手段は、ヒートポンプを対象とし、水蒸気を透過させる透湿膜（11）によって第１低圧空間（12）が区画され、該第１低圧空間（12）を所定の減圧状態とし、且つ上記透湿膜（11）における第１低圧空間（12）と反対側の表面を被冷却空気と接触させて、該被冷却空気中の水蒸気を第１低圧空間（12）側へ移動させる水蒸気分離部（15）と、上記第１低圧空間（12）から水蒸気を吸引して昇圧させる昇圧手段（50,90）と、水蒸気を透過させる透湿膜（31）により区画されて上記昇圧手段（50,90）で昇圧された水蒸気が導入される第２低圧空間（32）を有し、上記透湿膜（31）を透過させて第２低圧空間（32）から水蒸気を排出する水蒸気放出部（30）と、上記水蒸気分離部（15）から供給された被冷却空気を加湿によって冷却する加湿冷却部（25）とを設けるものである。
【００１１】
また、第１〜第４の各解決手段において、水蒸気放出部（30）は、透湿膜（31）における第２低圧空間（32）と反対側の表面を大気と接触させて上記第２低圧空間（32）の水蒸気を大気中へ放出するように構成される。
【００１２】
本発明が講じた第５の解決手段は、第１〜第４の何れか一つの解決手段において、水蒸気を透過させる透湿膜（41）によって第３低圧空間（42）が区画される一方、上記昇圧手段（50,90）で昇圧された水蒸気を第３低圧空間（42）へ導入し、且つ上記透湿膜（41）における第３低圧空間（42）と反対側の表面を水と接触させ、上記第３低圧空間（42）の水蒸気が透湿膜（41）を透過して凝縮するように構成された凝縮部（40）を備え、上記凝縮部（40）における水蒸気の凝縮熱を利用して対象物を加熱する動作を行うように構成されるものである。
【００１３】
本発明が講じた第６の解決手段は、第５の解決手段において、対象物を加熱する動作と、蒸発部（10）における水の蒸発潜熱を利用して対象物を冷却する動作とを切り換えて行うように構成されるものである。
【００１４】
本発明が講じた第７の解決手段は、第１〜第６の何れか一つの解決手段において、第２低圧空間（32）の抽気を行う抽気手段（65）を設けるものである。
【００１５】
本発明が講じた第８の解決手段は、第１〜第７の何れか一つの解決手段において、昇圧手段（50）は、吸引した水蒸気を圧縮して昇圧させる圧縮機（50）により構成されるものである。
【００１６】
本発明が講じた第９の解決手段は、第１〜第７の何れか一つの解決手段において、昇圧手段（90）は、吸湿と放湿とを行う吸収媒体を備え、吸収媒体の吸湿によって水蒸気を吸引し、吸収媒体を加熱して放湿させることによって水蒸気を昇圧させるように構成されるものである。
【００１７】
本発明が講じた第１０の解決手段は、第１〜第７の何れか一つの解決手段において、昇圧手段は、加熱により水蒸気を発生させる水蒸気発生手段（115）と、該水蒸気発生手段（115）で発生した水蒸気の噴流によって第１低圧空間（12）から水蒸気を吸引するエゼクタ（110）とより構成されるものである。
【００１８】
−作用−
上記第１の解決手段では、蒸発部（10）の第１低圧空間（12）が大気圧以下の所定圧力とされる。この第１低圧空間（12）には、水が供給される。減圧状態の第１低圧空間（12）では、供給された水の一部が蒸発し、残りの水は蒸発潜熱を奪われて冷却される。そして、冷却された水の冷熱を利用すれば、対象物の冷却等が可能である。第１低圧空間（12）の水蒸気は、昇圧手段（50,90）によって吸引されて排出される。従って、第１低圧空間（12）内では、継続して水が蒸発する。
【００１９】
一方、水蒸気放出部（30）には、第２低圧空間（32）が設けられる。この第２低圧空間（32）は、透湿膜（31）によって区画されている。第２低圧空間（32）には、昇圧手段（50,90）によって昇圧された水蒸気が導入される。従って、第２低圧空間（32）は、上記第１低圧空間（12）よりも高圧の状態となる。第２低圧空間（32）の水蒸気は、透湿膜（31）を透過して該第２低圧空間（32）から排出される。
【００２０】
上記第２の解決手段では、蒸発部（10）に第１低圧空間（12）が設けられる。この第１低圧空間（12）は、透湿膜（11）によって区画され、大気圧以下の所定圧力とされる。蒸発部（10）へは、水が供給される。供給された水は、上記透湿膜（11）における第１低圧空間（12）と反対側の表面と接触する。供給された水の一部は蒸発して水蒸気となり、該水蒸気は透湿膜（11）を透過して第１低圧空間（12）へ移動する。供給された水の残りは、蒸発潜熱を奪われて冷却される。一方、第１低圧空間（12）の水蒸気は、昇圧手段（50,90）によって吸引されて水蒸気放出部（30）へ送られ、その後に水蒸気放出部（30）の第２低圧空間（32）から排出される。この動作は、上記第１の解決手段と同様である。
【００２１】
上記第３の解決手段では、蒸発部（10）に第１低圧空間（12）及び空気空間（13）が設けられる。第１低圧空間（12）と空気空間（13）とは、透湿膜（11）によって仕切られている。第１低圧空間（12）は、大気圧以下の所定圧力とされる。空気空間（13）には、水と空気とが供給される。空気空間（13）では、供給された水が蒸発する。また、空気空間（13）の水蒸気は、透湿膜（11）を透過して第１低圧空間（12）へ移動する。そして、空気空間（13）では、水の蒸発によって冷熱が生成し、生成した冷熱によって空気が冷却される。一方、第１低圧空間（12）の水蒸気は、昇圧手段（50,90）によって吸引されて水蒸気放出部（30）へ送られ、その後に水蒸気放出部（30）の第２低圧空間（32）から排出される。この動作は、上記第１の解決手段と同様である。
【００２２】
上記第４の解決手段では、水蒸気分離部（15）に第１低圧空間（12）が設けられる。この第１低圧空間（12）は、透湿膜（11）によって区画され、大気圧以下の所定圧力とされる。水蒸気分離部（15）へは、室内空気や屋内空気等の内気が供給される。供給された内気は、上記透湿膜（11）における第１低圧空間（12）と反対側の表面と接触する。内気に含まれる水蒸気は、透湿膜（11）を透過して第１低圧空間（12）へ移動する。つまり、内気から水蒸気が奪われ、内気は乾燥状態となる。一方、第１低圧空間（12）の水蒸気は、昇圧手段（50,90）によって吸引されて水蒸気放出部（30）へ送られ、その後に水蒸気放出部（30）の第２低圧空間（32）から排出される。この動作は、上記第１の解決手段と同様である。
【００２３】
一方、水蒸気分離部（15）で水蒸気を奪われた乾燥状態の内気は、加湿冷却部（25）へ送られる。加湿冷却器では、乾燥状態の内気が加湿されて冷却される。つまり、内気を加湿すると、等エンタルピ変化によって絶対湿度が上昇して温度が低下する。そして、加湿により冷却され且つ適当な湿度とされた内気は、例えば冷房等に利用される。
【００２４】
上記第１〜第４の各解決手段では、水蒸気放出部（30）において、第２低圧空間（32）と反対側の透湿膜（31）の表面が大気と接触する。そして、第２低圧空間（32）の水蒸気は、透湿膜（31）の両側における水蒸気圧差によって該透湿膜（31）を透過し、大気中へ放出される。
【００２５】
上記第５の解決手段では、凝縮部（40）が設けられ、凝縮部（40）には第３低圧空間（42）が設けられる。この第３低圧空間（42）は、透湿膜（41）によって区画されている。第３低圧空間（42）には、昇圧手段（50,90）によって昇圧された水蒸気が導入される。従って、第３低圧空間（42）は、上記第１低圧空間（12）よりも高圧の状態となる。また、凝縮部（40）には水が供給される。供給された水は、上記透湿膜（41）における第３低圧空間（42）と反対側の表面と接触する。第３低圧空間（42）の水蒸気は、透湿膜（41）を透過して第３低圧空間（42）へ移動し、凝縮する。そして、水蒸気の凝縮熱によって水が加熱される。水蒸気の凝縮によって生成した温熱は、その後、対象物の加熱に利用される。
【００２６】
上記第６の解決手段では、対象物を加熱する動作と、対象物を冷却する動作とが切り換えて行われる。
【００２７】
上記第７の解決手段では、水蒸気放出部（30）の第２低圧空間（32）に溜まり込む水蒸気以外のガスが、抽気手段（65）によって排出される。つまり、第２低圧空間（32）は大気圧以下の減圧状態であるため、外部から空気等が侵入して空気中の窒素や酸素等をはじめとする水蒸気以外のガスが第２低圧空間（32）に滞留する場合がある。これに対し、本解決手段の抽気手段（65）は、上述のような水蒸気以外のガスを第２低圧空間（32）から排出する。尚、抽気手段（65）は、水蒸気以外のガスのみを排出するものである必要はなく、該ガスを水蒸気と共に排出するようなものであってもよい。
【００２８】
上記第８の解決手段では、昇圧手段（50）が圧縮機（50）により構成される。蒸発部（10）又は水蒸気分離部（15）における第１低圧空間（12）の水蒸気は、圧縮機（50）に吸引される。圧縮機（50）は、吸引した水蒸気を圧縮して昇圧してから水蒸気放出部（30）の第２低圧空間（32）に送り込む。
【００２９】
上記第９の解決手段では、昇圧手段（90）に吸収媒体が設けられる。昇圧手段（90）は、吸収媒体に水蒸気を吸湿させることによって、蒸発部（10）又は水蒸気分離部（15）における第１低圧空間（12）から水蒸気を吸引する。また、昇圧手段（90）は、吸収媒体を加熱して水蒸気を放出させる。吸収媒体から放湿された水蒸気は、吸収媒体に吸湿された状態よりも圧力が高くなっている。即ち、水蒸気が昇圧される。吸収媒体から放湿された昇圧後の水蒸気は、水蒸気放出部（30）の第２低圧空間（32）へ送り込まれる。
【００３０】
上記第１０の解決手段では、昇圧手段が水蒸気発生手段（115）とエゼクタ（110）で構成される。水蒸気発生手段（115）で発生した比較的高圧の水蒸気は、エゼクタ（110）に送り込まれて高速で噴射される。そして、エゼクタ（110）で生じる高速の水蒸気の噴流によって、第１低圧空間（12）の水蒸気がエゼクタ（110）に吸引される。第１低圧空間（12）から吸引された水蒸気は、水蒸気発生手段（115）から送り込まれた水蒸気と合流して圧力が上昇し、その後、水蒸気放出部（30）の第２低圧空間（32）へ送り込まれる。
【００３１】
【発明の効果】
上記第１〜第４の各解決手段によれば、大気圧以下の水蒸気を冷媒として動作を行うヒートポンプであって、水蒸気を放出して処理する水蒸気放出部（30）に透湿膜を利用したものを提供することができる。
【００３２】
また、上記第１〜第４の各解決手段では、水蒸気放出部（30）において透湿膜（31）の一方の表面を大気と接触させ、第２低圧空間（32）の水蒸気を水蒸気圧差によって大気中へ放出する。つまり、水蒸気放出部（30）では、水蒸気を凝縮させることなく大気中へ放出することができる。この結果、昇圧手段（50,90）における水蒸気の昇圧比を縮小することができ、水蒸気の昇圧に要するエネルギを削減してＣＯＰ（成績係数）の向上を図ることができる。以下、この点について、図２を参照しながら説明する。
【００３３】
上記第１の解決手段を例に説明する。尚、動作状態を表す温度及び圧力の値は、全て例示である。ここで、乾球温度５℃における飽和水蒸気圧は６．５mmHgである。従って、水の蒸発温度を５℃に設定する場合、蒸発部（10）における第１低圧空間（12）の圧力は６．５mmHgとなる。
【００３４】
蒸発部（10）の水蒸気を凝縮させて処理する場合、昇圧後の水蒸気の飽和温度が冷却媒体の温度よりも高くなるようにする必要がある。冷却塔で冷却した冷却水を冷却媒体とすると、昇圧後の水蒸気と冷却水とを直接接触させる場合であっても、６．５mmHgの水蒸気を冷却水温度３２℃に対応する飽和水蒸気圧である３５．７mmHgまで昇圧させなければならない。この場合、昇圧手段（50,90）における昇圧比は５．５となる。
【００３５】
また、冷却媒体を外気とすれば冷却塔の設備が不要となるが、この場合には外気温である３５℃よりも水蒸気の飽和温度が高くなるようにしなければならない。具体的に、水蒸気の飽和温度が４５℃となるようにしようとすると、水蒸気を７２．３mmHgまで昇圧させなければならない。即ち、６．５mmHgの水蒸気を７２．３mmHgにまで昇圧する必要があり、昇圧比は１１．１と更に増大する。
【００３６】
これに対し、第１の解決手段の場合、大気の飽和蒸気圧よりも所定値だけ高い圧力にまで昇圧させれば、透湿膜（31）の両側での水蒸気圧差によって水蒸気が移動する。大気である外気の温度を３５℃とすると飽和水蒸気圧は２２．９mmHgであり、これに水蒸気圧差５mmHgを加えた２７．９mmHgにまで昇圧させればよい。即ち、６．５mmHgの水蒸気を２７．９mmHgにまで昇圧すればよく、昇圧比は４．３となる。
【００３７】
以上、説明したように、上記第１の解決手段によれば、水蒸気放出部（30）において水蒸気を凝縮させずに大気中へ放出することができるため、蒸発部（10）における蒸発温度を維持しつつ昇圧手段（50,90）における昇圧比を小さく設定することができ、水蒸気の昇圧に要するエネルギを削減してＣＯＰを向上させることができる。尚、第２〜第４の各解決手段においても、上記の効果が同様に得られる。
【００３８】
上記第５，第６の各解決手段によれば、ヒートポンプ動作によって対象物の加熱を行うことができる。
【００３９】
上記第７の解決手段では、水蒸気放出部（30）の第２低圧空間（32）に侵入した水蒸気以外のガスを抽気手段（65）によって排出するようにしている。つまり、空気中の窒素や酸素等をはじめとする水蒸気以外のガスが第２低圧空間（32）中に存在すると、第２低圧空間（32）の圧力が一定であっても該第２低圧空間（32）における水蒸気の分圧が低下する。このため、水蒸気放出部（30）では、透湿膜（31）の両側における水蒸気圧差が小さくなる。そして、透湿膜（31）の両側の水蒸気圧差が小さくなると、該透湿膜（31）を透過する水蒸気の量が減少してしまう。これに対し、本解決手段によれば、抽気手段（65）によって水蒸気以外のガスを排出でき、透湿膜（31）の両側での水蒸気圧差を確保して水蒸気放出部（30）における水蒸気の放出量を充分に確保できる。
【００４０】
【発明の実施の形態】
以下、本発明の実施形態を図面に基づいて詳細に説明する。
【００４１】
《発明の実施形態１》
本発明の実施形態１について説明する。  本実施形態は、本発明に係るヒートポンプで生成する冷熱を利用して冷房を行う空調機である。
【００４２】
図１に示すように、上記空調機は、蒸発部（10）と、昇圧手段である圧縮機（50）と、水蒸気放出部（30）とを蒸気配管（51）で接続して構成されている。また、上記空調機は、利用側回路（20）を備えている。
【００４３】
上記蒸発部（10）は、密閉容器状に形成され、その内部空間が第１低圧空間（12）に構成されている。第１低圧空間（12）は、所定の減圧状態とされている。つまり、第１低圧空間（12）内の圧力は、大気圧よりも低い所定値に設定されている。第１低圧空間（12）の底部には、水が貯留している。そして、蒸発部（10）は、第１低圧空間（12）に貯留する水の一部を減圧下で蒸発させ、残りの水から蒸発潜熱を奪って冷却するように構成されている。
【００４４】
また、蒸発部（10）には給水管（24）が接続されている。この給水管（24）は、蒸発分に見合った量の水を第１低圧空間（12）に補給するように構成されている。更に、給水管（24）は、第１低圧空間（12）内に水を散布するように構成されている。
【００４５】
上記圧縮機（50）は、吸入側が蒸発部（10）の第１低圧空間（12）と接続され、吐出側が水蒸気放出部（30）と接続されている。この圧縮機（50）は、第１低圧空間（12）の水蒸気を吸引して昇圧し、昇圧後の水蒸気を水蒸気放出部（30）へ送り込むように構成されている。
【００４６】
上記水蒸気放出部（30）は、容器状に形成され、その内部には透湿膜（31）によって第２低圧空間（32）が区画されている。第２低圧空間（32）は、閉空間に構成されると共に、圧縮機（50）の吐出側に接続されている。つまり、第２低圧空間（32）には、圧縮機（50）で昇圧された水蒸気が導入される。また、水蒸気放出部（30）では、透湿膜（31）を挟んで第２低圧空間（32）と反対側に第２空気空間（33）が形成されている。この第２空気空間（33）には、大気である室外空気が導入され、この室外空気が透湿膜（31）の表面と接触する。上記透湿膜（31）は、水蒸気透過性高分子膜又は水蒸気透過性無機材料膜から成り、水蒸気を透過させるように構成されている。そして、水蒸気放出部（30）は、透湿膜（31）を透過させて水蒸気を第２低圧空間（32）から大気中へ放出するように構成されている。
【００４７】
上記利用側回路（20）は、放熱熱交換器（21）と、循環ポンプ（23）と、室内熱交換器（22）とを順に配管接続して形成され、内部を熱媒水が循環するように構成されている。放熱熱交換器（21）は、蒸発部（10）の第１低圧空間（12）内に設置され、熱媒水を第１低圧空間（12）に貯留する水と熱交換させて、放熱させるように構成されている。室内熱交換器（22）は、図外のファンコイルユニットに収納され、室内空間（200）に設置されている。この室内熱交換器（22）は、熱媒水と室内空気とを熱交換させる。
【００４８】
−運転動作−
冷房運転時の動作について、図１及び図２を参照しながら説明する。尚、図２は冷房運転時における標準的な運転状態を示し、以下の説明で用いる温度及び圧力は標準運転状態における値を示している。従って、以下に示す温度及び圧力は例示であり、その値は運転状態によって変化する。
【００４９】
蒸発部（10）の第１低圧空間（12）は、その圧力が６．５mmHgに設定されている。従って、第１低圧空間（12）における水の蒸発温度は、５℃に設定される。また、第１低圧空間（12）には、給水管（24）によって水が供給される。供給された水は、第１低圧空間（12）の底部に貯留し、その一部が蒸発する一方、残りが蒸発潜熱を奪われて冷却される。
【００５０】
第１低圧空間（12）で蒸発した水蒸気は、圧縮機（50）に吸引される。圧縮機（50）は、吸入した水蒸気を圧縮して昇圧させる。具体的に、第１低圧空間（12）から圧力６．５mmHgの水蒸気を吸入し、圧縮して圧力２７．９mmHgにまで昇圧させる。従って、圧縮機（50）における昇圧比は４．３となる。ここで、圧縮機（50）における昇圧幅は、次のように定められる。即ち、室外空気（外気）の状態は、温度３５℃、水蒸気圧２２．９mmHgとなっており、これに対応して室外空気の水蒸気圧よりも５mmHgだけ高い値に設定されている。
【００５１】
圧縮機（50）で昇圧された水蒸気は、水蒸気放出部（30）の第２低圧空間（32）に供給される。つまり、第２低圧空間（32）には圧力２７．９mmHgの水蒸気が送り込まれる。水蒸気放出部（30）の第２空気空間（33）には室外空気が送り込まれる。透湿膜（31）は、第２低圧空間（32）側で圧力２７．９mmHgの水蒸気と接触し、第２空気空間（33）側で水蒸気圧２２．９mmHgの室外空気と接触する。従って、透湿膜（31）の両側では、５mmHgの水蒸気圧の差が存在する。この水蒸気圧差によって第２低圧空間（32）の水蒸気が透湿膜（31）を透過し、第２空気空間（33）の室外空気に放出される。水蒸気を受けた第２空気空間（33）の室外空気は、その後、第２空気空間（33）から排出される。
【００５２】
利用側回路（20）では、循環ポンプ（23）を運転して熱媒水が循環する。放熱熱交換器（21）は、循環する熱媒水と第１低圧空間（12）に貯留する冷却された水とを熱交換させる。放熱熱交換器（21）では、熱媒水が冷却され、蒸発部（10）で生成した冷熱が取り出される。冷却された熱媒水は、放熱熱交換器（21）から室内熱交換器（22）へ送られる。室内熱交換器（22）は、低温の熱媒水と室内空気とを熱交換させる。室内熱交換器（22）では、熱媒水によって室内空気が冷却される。そして、冷却した室内空気を室内に供給して冷房が行われる。室内空気から吸熱した熱媒水は、室内熱交換器（22）から放熱熱交換器（21）へ送られ、再び冷却されてこの循環を繰り返す。
【００５３】
−実施形態１の効果−
本実施形態１によれば、水蒸気放出部（30）において、第２低圧空間（32）の水蒸気を第２空気空間（33）の室外空気へ直接放出することができる。つまり、圧縮機（50）によって第２低圧空間（32）へ送り込まれた水蒸気を、凝縮させずに処理することが可能となる。このため、圧縮機（50）における水蒸気の昇圧幅を縮小し、圧縮機（50）における昇圧比を小さく設定することができる。この結果、圧縮機（50）の駆動に要する動力を削減することができ、ＣＯＰ（成績係数）の向上を図ることができる。
【００５４】
ここで、蒸発部（10）の水蒸気を凝縮させて処理する場合、昇圧後の水蒸気の飽和温度が冷却媒体の温度よりも高くなるようにする必要がある。例えば、冷却塔で冷却した冷却水を冷却媒体とすると、昇圧後の水蒸気と冷却水とを直接接触させる場合であっても、６．５mmHgの水蒸気を冷却水温度３２℃に対応する飽和水蒸気圧である３５．７mmHgまで昇圧させなければならない。この場合、昇圧手段における昇圧比は５．５となる。
【００５５】
これに対し、本実施形態の圧縮機（50）では、室外空気の水蒸気圧よりも所定値（本実施形態では５mmHg）だけ高い圧力にまで水蒸気を圧縮すればよい。つまり、上述のように、圧縮機（50）では圧力６．５mmHgの水蒸気を圧力２７．９mmHgまで圧縮すればよく、昇圧比を４．３と設定することができる。このため、本実施形態によれば、蒸発部（10）の第１低圧空間（12）における圧力は維持しつつ、従来の水蒸気を凝縮させる場合に比べて圧縮機（50）での昇圧比を小さくすることができる。従って、本実施形態によれば、ＣＯＰを向上させることが可能となる。
【００５６】
−実施形態１の変形例−
本実施形態１では、利用側回路（20）を省略して以下のように構成してもよい。
【００５７】
図３に示すように、本変形例では、蒸発部（10）が室内空間（200）に設置される。そして、蒸発部（10）と室内空気とを接触させ、第１低圧空間（12）内に貯留する冷水によって室内空気を冷却する。この場合、蒸発部（10）にフィン等を設け、室内空気との伝熱面積を稼ぐようにするのが望ましい。
【００５８】
《発明の実施形態２》
本発明の実施形態２は、上記実施形態１において、蒸発部（10）及び利用側回路（20）の構成を変更するものである。以下、実施形態１と異なる構成について説明する。
【００５９】
図４に示すように、蒸発部（10）は、密閉容器状に形成されている。蒸発部（10）の内部は、透湿膜（11）によって第１低圧空間（12）と水側空間（14）とに仕切られている。第１低圧空間（12）は、実施形態１と同様に、所定の減圧状態とされている。また、蒸発部（10）の透湿膜（11）は、水蒸気放出部（30）の透湿膜（31）と同様に水蒸気が透過するように構成されている。一方、水側空間（14）には熱媒水が満たされ、この熱媒水が上記透湿膜（11）の表面と接触する。この水側空間（14）は、大気圧状態とされている。
【００６０】
上記蒸発部（10）では、水側空間（14）の熱媒水から蒸発した水蒸気が透湿膜（11）を透過して第１低圧空間（12）へ移動する。つまり、蒸発部（10）は、水側空間（14）の熱媒水の一部を蒸発させ、残りの熱媒水から蒸発潜熱を奪って冷却するように構成されている。
【００６１】
利用側回路（20）には、実施形態１と同様に、循環ポンプ（23）と室内熱交換器（22）とが設けられる。また、室内熱交換器（22）が室内のファンコイルユニットに設置される点も実施形態１と同様である。循環ポンプ（23）は、吸入側で蒸発部（10）の水側空間（14）に接続され、吐出側で室内熱交換器（22）の入口端に接続されている。室内熱交換器（22）の出口端は、蒸発部（10）の水側空間（14）に接続されている。そして、利用側回路（20）は、蒸発部（10）の水側空間（14）と室内熱交換器（22）との間で熱媒水を循環させるように構成されている。また、利用側回路（20）における水側空間（14）の上流側には、給水管（24）が接続されている。この給水管（24）は、水側空間（14）に給水して該水側空間（14）における蒸発分を補充する。
【００６２】
−運転動作−
冷房運転時の動作について説明する。尚、圧縮機（50）及び水蒸気放出部（30）の動作は、上記実施形態１と同様である。また、以下の説明で用いる温度及び圧力は、実施形態１での説明と同様に、標準的な運転状態における値を示している。
【００６３】
蒸発部（10）の第１低圧空間（12）は、その圧力が６．５mmHgに設定されている。蒸発部（10）の透湿膜（11）は、水側空間（14）側の表面で熱媒水と接触している。水側空間では、熱媒水の一部が蒸発して残りの熱媒水が冷却される。蒸発した水蒸気は、透湿膜（11）を透過して第１低圧空間（12）へ移動する。第１低圧空間（12）の水蒸気は、圧縮機（50）に吸引されて圧縮され、圧力２７．９mmHgにまで昇圧されてから水蒸気放出部（30）へ送り込まれる。水蒸気放出部（30）では、第２低圧空間（32）の水蒸気が第２空気空間（33）へ移動し、室外空気へ放出される。
【００６４】
−実施形態２の効果−
本実施形態２によれば、蒸発部（10）において透湿膜（11）で第１低圧空間（12）を区画しているため、大気圧状態の水側空間（14）において熱媒水の冷却を行うことができる。つまり、蒸発部（10）で冷却された熱媒水をそのまま利用側回路（20）で循環させることができる。従って、上記実施形態１のように放熱熱交換器（21）を用いることなく蒸発部（10）から冷熱を取り出すことができ、生成した冷熱を確実に利用することができる。
【００６５】
《発明の実施形態３》
本発明の実施形態３は、上記実施形態１において、蒸発部（10）の構成を変更するものである。また、本実施形態３では、利用側回路は省略されている。以下、実施形態１と異なる構成について説明する。
【００６６】
図５に示すように、蒸発部（10）は、室内空間（200）に設置されている。この蒸発部（10）は、容器状に形成され、その内部には透湿膜（11）によって第１低圧空間（12）が区画されている。第１低圧空間（12）は、閉空間に構成されると共に、実施形態１と同様に所定の減圧状態とされている。また、蒸発部（10）の透湿膜（11）は、水蒸気放出部（30）の透湿膜（31）と同様に水蒸気が透過するように構成されている。
【００６７】
蒸発部（10）には、透湿膜（11）を挟んで第１低圧空間（12）と反対側に第１空気空間（13）が形成されている。この第１空気空間（13）には、大気である室内空気が導入され、この室内空気が透湿膜（11）の表面と接触する。また、蒸発部（10）には給水管（24）が接続され、該給水管（24）によって第１空気空間（13）に水が供給される。その際、給水管（24）は、透湿膜（11）の表面に水を散布する。つまり、透湿膜（11）における第１空気空間（13）側の表面には、室内空気と供給された水の両方が接触する。そして、蒸発部（10）は、第１空気空間（13）へ供給した水の蒸発によって冷熱を生成し、生成した冷熱によって室内空気を冷却して室内空間（200）へ送り出すように構成されている。
【００６８】
尚、本実施形態では、蒸発部（10）において、第１空気空間（13）へ導入された室内空気と水の両方を透湿膜（11）に接触させているが、これに代えて、供給された水だけが透湿膜（11）と接触するようにしてもよい。この場合、透湿膜（11）の表面を覆う水が自己蒸発により冷却され、この冷却された水と接触して室内空気が冷却される。
【００６９】
−運転動作−
冷房運転時の動作について、図５〜図７を参照しながら説明する。尚、図７は冷房運転時における標準的な運転状態を示し、以下の説明で用いる温度及び圧力は標準運転状態における値を示している。従って、以下に示す温度及び圧力は例示であり、その値は運転状態によって変化する。
【００７０】
蒸発部（10）の第１空気空間（13）には、室内空気が送り込まれると共に、給水管（24）から水が供給される。従って、蒸発部（10）の透湿膜（11）は、第１空気空間（13）側の表面で供給された室内空気及び水と接触する。ここで、第１空気空間（13）に供給される室内空気と水の状態は、図６における点Ｃと点Ａの状態にそれぞれ対応する。つまり、室内空気の温度及び絶対湿度は点Ｃで示され、給水管（24）からの水の温度は点Ａで示される。一方、蒸発部（10）の第１低圧空間（12）は、その圧力が７．７mmHgに設定されている。つまり、室内空気の状態は、温度２６℃、水蒸気圧１２．７mmHgとなっており、これに対応して室内空気の水蒸気圧よりも５mmHgだけ低い値に設定されている（図７参照）。
【００７１】
この状態で、蒸発部（10）の第１空気空間（13）では、供給された水が自己蒸発によって温度低下すると共に、室内空気の温度も低下する。つまり、第１空気空間（13）では、室内空気中の水蒸気が透湿膜（11）を透過して第１低圧空間（12）へ移動すると同時に、室内空気の湿度低下に伴って供給された水が蒸発する。蒸発した水蒸気は、第１空気空間（13）と第１低圧空間（12）の間の水蒸気圧差によって透湿膜（11）を透過し、第１低圧空間（12）へ移動する。また、供給された水の飽和水蒸気圧と第１低圧空間（12）の水蒸気圧との差によっても水が蒸発し、蒸発した水蒸気が第１低圧空間（12）へ移動する。供給された水は、自己蒸発によって蒸発潜熱を奪われて温度が低下する一方、水の温度低下に従って室内空気の温度も低下する。そして、図６に示すように、供給された水の温度は点Ａで示される温度から低下し、最終的に点Ｂで示される温度となる。一方、室内空気の温度及び湿度は点Ｃの状態からそれぞれ低下し、最終的に点Ｅの状態となる。尚、図６における点Ｃから点Ｅに至る破線は、室内空気の状態変化の経路を示すものではない。つまり、室内空気は、点Ｃから点Ｅに至る破線に沿って状態変化するわけではない。
【００７２】
第１低圧空間（12）の水蒸気は、圧縮機（50）に吸引される。圧縮機（50）は、吸入した水蒸気を圧縮して昇圧させる。具体的には、図７に示すように、第１低圧空間（12）から圧力７．７mmHgの水蒸気を吸入し、圧縮して圧力２７．９mmHgにまで昇圧させる。従って、圧縮機（50）における昇圧比は３．６となる。ここで、圧縮機（50）における昇圧幅は、次のように定められる。即ち、室外空気（外気）の状態は、温度３５℃、水蒸気圧２２．９mmHgとなっており、これに対応して室外空気の水蒸気圧よりも５mmHgだけ高い値に設定されている。
【００７３】
圧縮機（50）で昇圧された水蒸気は、水蒸気放出部（30）へ送り込まれる。つまり、圧力２７．９mmHgが水蒸気放出部（30）の第２低圧空間（32）に供給され、第２低圧空間（32）の水蒸気は透湿膜（31）を透過して室外空気へ放出される。この水蒸気放出部（30）の動作は、上記実施形態１と同様である。
【００７４】
−実施形態３の効果−
本実施形態３では、蒸発部（10）の第１空気空間（13）において水と室内空気とを透湿膜（11）に接触させて室内空気の冷却を行っている。このため、冷却能力を維持しつつ、蒸発部（10）の第１低圧空間（12）の圧力を、上記実施形態１及び２の場合の６．５mmHgよりも高い７．７mmHgに設定することが可能となる。この結果、圧縮機（50）における昇圧比を更に小さくすることができ、ＣＯＰを一層向上させることができる。
【００７５】
《発明の実施形態４》
本発明の実施形態４は、上記実施形態１において、蒸発部（10）に代えて水蒸気分離部（15）を設けると共に、加湿冷却部（25）を追加するものである。また、本実施形態３では、利用側回路は省略されている。以下、実施形態１と異なる構成について説明する。
【００７６】
図８に示すように、水蒸気分離部（15）及び加湿冷却器は、室内空間（200）に設置されている。この水蒸気分離部（15）は、容器状に形成され、その内部には透湿膜（11）によって第１低圧空間（12）が区画されている。第１低圧空間（12）は、閉空間に構成されると共に、実施形態１と同様に所定の減圧状態とされている。また、蒸発部（10）の透湿膜（11）は、水蒸気放出部（30）の透湿膜（31）と同様に水蒸気が透過するように構成されている。
【００７７】
水蒸気分離部（15）では、透湿膜（11）を挟んで第１低圧空間（12）と反対側に第１空気空間（13）が形成されている。この第１空気空間（13）には、大気である室内空気が導入され、この室内空気が透湿膜（11）の表面と接触する。そして、水蒸気分離部（15）は、第１空気空間（13）の室内空気に含まれる水蒸気を第１低圧空間（12）へ移動させ、該室内空気から水蒸気を分離して除湿するように構成されている。
【００７８】
加湿冷却部（25）には、水蒸気分離部（15）の第１空気空間（13）から除湿された室内空気が送り込まれる。また、加湿冷却部（25）には、給水管（24）が接続されている。そして、加湿冷却部（25）は、給水管（24）からの水を水蒸気分離部（15）からの乾燥した室内空気に供給し、該室内空気を加湿することによって冷却するように構成されている。加湿冷却部（25）で冷却された室内空気は、室内空間（200）へと供給される。
【００７９】
−運転動作−
冷房運転時の動作について、図６を参照しながら説明する。尚、圧縮機（50）及び水蒸気放出部（30）の動作は、上記実施形態３と同様である。また、以下の説明で用いる温度及び圧力は、実施形態３での説明と同様に、標準的な運転状態における値を示している。
【００８０】
蒸発部（10）の第１空気空間（13）には、点Ｃの状態の室内空気が送り込まれる。この室内空気は、温度２６℃、水蒸気圧１２．７mmHgの状態となっている。第１空気空間（13）では、供給された室内空気が透湿膜（11）と接触する。一方、蒸発部（10）の第１低圧空間（12）は、その圧力が７．７mmHgに設定されている。室内空気に含まれる水蒸気は、第１空気空間（13）と第１低圧空間（12）の間の水蒸気圧差（５mmHg）によって透湿膜（11）を透過し、第１低圧空間（12）へ移動する。そして、室内空気の絶対湿度が低下し、点Ｃの状態から点Ｄの状態に変化する。
【００８１】
減湿されて点Ｄの状態となった室内空気は、蒸発部（10）の第１空気空間（13）から加湿冷却部（25）へ送り込まれる。加湿冷却部（25）には、給水管（24）を通じて水が送られている。給水管（24）からの水は、点Ｄの状態の室内空気に供給される。そして、加湿冷却部（25）では、室内空気が加湿されて冷却され、点Ｄの状態から点Ｅの状態に変化する。点Ｅの状態の空気は、室内空間（200）に供給される。
【００８２】
《発明の実施形態５》
本発明の実施形態５は、本発明に係るヒートポンプにより構成される空調機であって、冷房運転と暖房運転とを切り換えて行うものである。
【００８３】
図９及び図１０に示すように、上記空調機は、室外容器部材（80）、圧縮機（50）、四路切換弁（60）、室内容器部材（70）、凝縮部（40）及び利用側回路（45）を備えている。
【００８４】
四路切換弁（60）には、吐出配管（52）、吸入配管（53）、室外側配管（54）及び室内側配管（55）が接続されている。この四路切換弁（60）は、吐出配管（52）と室外側配管（54）が連通し且つ吸入配管（53）と室内側配管（55）が連通する状態（図９参照）と、吐出配管（52）と室内側配管（55）が連通し且つ吸入配管（53）と室外側配管（54）が連通する状態（図１０参照）とに切り換わる。
【００８５】
吐出配管（52）は、圧縮機（50）の吐出側に接続されている。吸入配管（53）は、圧縮機（50）の吸入側に接続されている。室外側配管（54）は、室外容器部材（80）に接続されている。室内側配管（55）は、第１分岐管（56）と第２分岐管（57）とに分岐され、第１分岐管（56）が室内容器部材（70）に、第２分岐管（57）が凝縮部（40）にそれぞれ接続されている。また、第１分岐管（56）には第１蒸気弁（58）が設けられ、第２分岐管（57）には第２蒸気弁（59）が設けられている。
【００８６】
室外容器部材（80）は室外に設置され、室内容器部材（70）は室内空間（200）に設置されている。この室外容器部材（80）及び室内容器部材（70）は、同様の構成を備えている。両容器部材（70,80）は、容器状に形成され、その内部には透湿膜（71,81）によって低圧空間（72,82）が区画されている。この低圧空間（72,82）は、閉空間に構成されている。そして、室外容器部材（80）の低圧空間（82）に室外側配管（54）が接続され、室内容器部材（70）の低圧空間（72）に室内側配管（55）の第１分岐管（56）が接続されている。透湿膜（71,81）は、水蒸気透過性高分子膜又は水蒸気透過性無機材料膜から成り、水蒸気を透過させるように構成されている。
【００８７】
両容器部材（70,80）には、透湿膜（71,81）を挟んで低圧空間（72,82）と反対側に常圧空間（73,83）が形成されている。この常圧空間（73,83）には、大気が導入されて透湿膜（71,81）の表面と接触する。また、両容器部材（70,80）には、給水弁（76,86）を介して給水管（75,85）が接続されている。この給水管（75,85）は、常圧空間（73,83）に水を供給するが、その際、透湿膜（71,81）の表面に水を散布する。
【００８８】
凝縮部（40）は、密閉容器状に形成されている。凝縮部（40）の内部は、透湿膜（41）によって第３低圧空間（42）と水側空間（43）とに仕切られている。この第３低圧空間（42）には、室内側配管（55）の第２分岐管（57）が接続されている。また、凝縮部（40）の透湿膜（41）は、容器部材のものと同様に水蒸気が透過するように構成されている。一方、水側空間（43）には熱媒水が満たされ、この熱媒水が上記透湿膜（41）の表面と接触する。この水側空間（43）は、大気圧状態とされている。そして、凝縮部（40）は、第３低圧空間（42）の水蒸気を水側空間（43）へ移動させて凝縮させ、水蒸気の凝縮熱によって熱媒水を加熱するように構成されている。
【００８９】
上記凝縮部（40）の水側空間（43）には、利用側回路（45）が接続されている。利用側回路（45）は、室内熱交換器（46）と、循環ポンプ（47）とが設けられている。室内熱交換器（46）は、入口端が上記水側空間（43）に接続され、出口端が循環ポンプ（47）の吸入側に接続されている。また、循環ポンプ（47）の吐出側は、上記水側空間（43）に接続されている。この利用側回路（45）では、循環ポンプ（47）を運転すると凝縮部（40）の水側空間（43）と室内熱交換器（46）の間で熱媒水が循環する。一方、室内熱交換器（46）は、図外のファンコイルユニットに収納され、室内空間（200）に設置されている。この室内熱交換器（46）は、熱媒水と室内空気とを熱交換させる。
【００９０】
上記利用側回路（45）には、排水管（48）が接続されている。この排水管（48）は、凝縮部（40）の水側空間（43）と室内熱交換器（46）との間に、排水弁（49）を介して接続されている。この排水管（48）は、凝縮部（40）における凝縮分に対応する量の水を排出し、利用側回路（45）内の熱媒水の量が一定に保持される。
【００９１】
−冷房運転動作−
冷房運転時の動作について、図９を参照しながら説明する。
【００９２】
冷房運転時には、第１蒸気弁（58）が開放され、第２蒸気弁（59）が閉鎖される。四路切換弁（60）は、吐出配管（52）と室外側配管（54）が連通し且つ吸入配管（53）と室内側配管（55）が連通する状態に切り換わる。室内給水管（75）では、給水弁（76）が所定開度に調節され、室内容器部材（70）に所定量の水が供給される。一方、室外給水管（85）では、給水弁（86）が閉鎖され、室外容器部材（80）に水は供給されない。また、利用側回路（45）の循環ポンプ（47）は運転されず、排水弁（49）は閉鎖される。
【００９３】
この状態で、室内容器部材（70）が蒸発部（10）として動作し、室外容器部材（80）が水蒸気放出部（30）として動作する。つまり、室内容器部材（70）では、常圧空間（73）が蒸発部（10）の第１空気空間（13）となり、低圧空間（72）が蒸発部（10）の第１低圧空間（12）となる。また、室外容器部材（80）では、常圧空間（83）が水蒸気放出部（30）の第２空気空間（33）となり、低圧空間（82）が水蒸気放出部（30）の第２低圧空間（32）となる。そして、本実施形態は、上記実施形態３における冷房運転動作と同様の動作を行う。
【００９４】
具体的に、室内容器部材（70）では、常圧空間（73）に供給された水が蒸発して低圧空間（72）へ移動すると共に、室内空気が冷却される。低圧空間（72）の水蒸気は、室内側配管（55）の第１分岐管（56）から吸入配管（53）を通って圧縮機（50）に吸入される。圧縮機（50）は、吸入した水蒸気を圧縮する。昇圧された水蒸気は、吐出配管（52）から室外側配管（54）を通って室外容器部材（80）の低圧空間（82）に送り込まれる。低圧空間（82）の水蒸気は、透湿膜（81）を透過して常圧空間（83）に移動し、室外空気に放出される。
【００９５】
−暖房運転動作−
暖房運転時の動作について、図１０を参照しながら説明する。
【００９６】
暖房運転時には、第１蒸気弁（58）及び第２蒸気弁（59）の両方が所定開度に調節される。四路切換弁（60）は、吐出配管（52）と室内側配管（55）が連通し且つ吸入配管（53）と室外側配管（54）が連通する状態に切り換わる。室内給水管（75）では、給水弁（76）が閉鎖され、室内容器部材（70）に水は供給されない。一方、室外給水管（85）では、給水弁（86）が所定開度に調節され、室外容器部材（80）に所定量の水が供給される。また、利用側回路（45）では循環ポンプ（47）が運転されて熱媒水が循環すると共に、排水弁（49）が所定開度に調節される。
【００９７】
この状態で、室内容器部材（70）が水蒸気放出部（30）として動作し、室外容器部材（80）が蒸発部（10）として動作する。つまり、室内容器部材（70）では、常圧空間（73）が水蒸気放出部（30）の第２空気空間（33）となり、低圧空間（72）が水蒸気放出部（30）の第２低圧空間（32）となる。また、室外容器部材（80）では、常圧空間（83）が蒸発部（10）の第１空気空間（13）となり、低圧空間（82）が蒸発部（10）の第１低圧空間（12）となる。
【００９８】
室外容器部材（80）の常圧空間（83）には室外空気が送り込まれ、該室外空気中の水蒸気が透湿膜（81）を透過して低圧空間（82）へ移動する。また、室外容器部材（80）の常圧空間（83）には室外給水管（85）から水が供給され、供給された水から蒸発した水蒸気も透湿膜（81）を透過して低圧空間（82）へ移動する。上記低圧空間（82）の水蒸気は、室外側配管（54）から吸入配管（53）を通って圧縮機（50）に吸入される。圧縮機（50）は吸入した水蒸気を圧縮し、圧縮されて昇圧した水蒸気は吐出配管（52）から室内側配管（55）に送られる。室内側配管（55）に送り込まれた水蒸気は、第１分岐管（56）と第２分岐管（57）とに分流される。
【００９９】
第１分岐管（56）へ流入した水蒸気は、室内容器部材（70）の低圧空間（72）に導入される。一方、室内容器部材（70）の常圧空間（73）には、室内空気が送り込まれる。上記低圧空間（72）の水蒸気は、透湿膜（71）を透過して常圧空間（73）へ移動し、常圧空間（73）の室内空気が加湿される。加湿された室内空気は、その後、室内に供給される。
【０１００】
第２分岐管（57）へ流入した水蒸気は、凝縮部（40）の第３低圧空間（42）に導入される。該第３低圧空間（42）の水蒸気は、透湿膜（41）を透過して水側空間（43）へ移動する。移動した水蒸気は、水側空間（43）の熱媒水と接触して凝縮し、その凝縮熱によって熱媒水が加熱される。加熱された熱媒水は、室内熱交換器（46）に送られる。室内熱交換器（46）では、熱媒水と室内空気とが熱交換し、室内空気が加熱される。放熱した熱媒水は、再び凝縮部（40）の水側空間（43）に送られて加熱され、この循環を繰り返す。また、凝縮部（40）での凝縮分に対応する量の水を排水管（48）から排出し、利用側回路（45）内の熱媒水の量を一定に保持する。
【０１０１】
−実施形態５の効果−
本実施形態５によれば、凝縮部（40）において透湿膜（41）で第３低圧空間（42）を区画しているため、大気圧状態の水側空間（43）において熱媒水の加熱を行うことができる。つまり、暖房運転時には、凝縮部（40）で加熱された熱媒水をそのまま利用側回路（45）で循環させることができる。従って、例えば管内を流通する熱媒水を管外での水蒸気の凝縮によって加熱するような場合に比べ、水蒸気の凝縮熱を確実に熱媒水の加熱に利用することができる。
【０１０２】
また、暖房運転時には、室内容器部材（70）において室内空気の加湿を行うことができる。このため、室内空気の加熱だけでなく加湿をも行うことができ、快適性の向上を図ることができる。
【０１０３】
《参考技術》
参考技術について説明する。この参考技術は、ヒートポンプで生成する温熱を利用して暖房を行う空調機である。
【０１０４】
図１１に示すように、上記空調機は、蒸発部（10）と、昇圧手段である圧縮機（50）と、水蒸気放出部（30）とを蒸気配管（51）で接続して構成されている。
【０１０５】
上記蒸発部（10）は、密閉容器状に形成されている。蒸発部（10）の内部は、透湿膜（11）によって第１低圧空間（12）と水側空間（14）とに仕切られている。第１低圧空間（12）は、所定の減圧状態（例えば６．５mmHg程度）とされている。また、蒸発部（10）の透湿膜（11）は、水蒸気透過性高分子膜又は水蒸気透過性無機材料膜から成り、水蒸気を透過させるように構成されている。一方、水側空間（14）には熱源水が満たされ、この熱源水が上記透湿膜（11）の表面と接触する。この水側空間（14）は、大気圧状態とされている。そして、上記蒸発部（10）は、水側空間（14）の熱源水から蒸発した水蒸気が透湿膜（11）を透過して第１低圧空間（12）へ移動するように構成されている。
【０１０６】
また、蒸発部（10）には給水管（24）が接続されている。この給水管（24）は、蒸発分に見合った量の水を第１低圧空間（12）に補給するように構成されている。
【０１０７】
上記圧縮機（50）は、吸入側が蒸発部（10）の第１低圧空間（12）と接続され、吐出側が水蒸気放出部（30）と接続されている。この圧縮機（50）は、第１低圧空間（12）の水蒸気を吸引して昇圧し、昇圧後の水蒸気を水蒸気放出部（30）へ送り込むように構成されている。
【０１０８】
上記水蒸気放出部（30）は、室内空間（200）に設けられている。この水蒸気放出部（30）は、密閉容器状に形成され、その内部には透湿膜（31）によって第２低圧空間（32）が区画されている。上記透湿膜（31）は、蒸発部（10）の透湿膜（11）と同様に、水蒸気を透過させるように構成されている。第２低圧空間（32）は、閉空間に構成されると共に、圧縮機（50）の吐出側に接続されている。つまり、第２低圧空間（32）には、圧縮機（50）で昇圧された水蒸気が導入される。また、水蒸気放出部（30）では、透湿膜（31）を挟んで第２低圧空間（32）と反対側に常圧蒸気空間（34）が形成されている。この常圧蒸気空間（34）は、大気圧状態とされている。また常圧蒸気空間（34）には、透湿膜（31）を透過して第２低圧空間（32）から水蒸気が送り込まれる。
【０１０９】
水蒸気放出部（30）の常圧蒸気空間（34）には、加熱手段（35）である空気加熱路（35）が形成されている。空気加熱路（35）は、内部を室内空気が流通し、その内部の室内空気と外部の水蒸気とを熱交換させるように構成されている。そして、空気加熱路（35）では、その内部を流通する室内空気が外部で凝縮する水蒸気の凝縮熱によって加熱される。また、水蒸気放出部（30）には、排水管（48）が接続されている。この排水管（48）は、空気加熱路（35）の室内空気との熱交換によって生じた凝縮水を常圧蒸気空間（34）から排出する。
【０１１０】
−運転動作−
暖房運転時の動作について説明する。
【０１１１】
蒸発部（10）の水側空間（14）では、熱源水の一部が残りの熱源水から蒸発潜熱を奪って蒸発する。蒸発した水蒸気は、透湿膜（11）を透過して第１低圧空間（12）へ移動する。一方、給水管（24）からは、蒸発量に見合った量の水が蒸発部（10）の水側空間（14）に補給される。
【０１１２】
上記第１低圧空間（12）の水蒸気は、圧縮機（50）に吸引される。圧縮機（50）は、吸引した水蒸気を圧縮して昇圧させ、昇圧後の水蒸気を水蒸気放出部（30）の第２低圧空間（32）へ送り込む。第２低圧空間（32）の水蒸気は、透湿膜（31）を透過して大気圧状態の常圧蒸気空間（34）へ移動する。
【０１１３】
一方、空気加熱路（35）には、室内空気が送り込まれる。この室内空気は、空気加熱路（35）を流れる間に常圧蒸気空間（34）の水蒸気と熱交換を行う。そして、空気加熱路（35）の外部で水蒸気が凝縮すると共に、空気加熱路（35）内の室内空気が水蒸気の凝縮熱によって加熱される。加熱された室内空気は、その後、室内空間（200）に供給される。
【０１１４】
−参考技術の変形例１−
本参考技術の変形例１は、水蒸気放出部（30）の常圧蒸気空間（34）で生じた凝縮水を排出するのに代えて、該凝縮水を蒸発部（10）の水側空間（14）へ戻すようにしたものである。
【０１１５】
図１２に示すように、本変形例１では、戻し配管（36）が設けられている。この戻し配管（36）には、水ポンプ（37）が設けられている。また、戻し配管（36）は、入口端が水蒸気放出部（30）に接続されて常圧蒸気空間（34）内の凝縮水を取り込むと共に、出口端が蒸発部（10）に接続されて取り込んだ凝縮水を水側空間（14）に送り込む。
【０１１６】
本変形例によれば、蒸発部（10）と水蒸気放出部（30）との間で水を循環させることができ、外部から水を補給することなく運転を行うことが可能となる。
【０１１７】
−参考技術６の変形例２−
本参考技術の変形例２は、蒸発部（10）及び給水管（24）の構成を変更するものである。
【０１１８】
図１３に示すように、上記蒸発部（10）は、密閉容器状に形成され、その内部空間が第１低圧空間（12）に構成されている。第１低圧空間（12）は、所定の減圧状態とされている。つまり、第１低圧空間（12）内の圧力は、大気圧よりも低い所定値に設定されている。第１低圧空間（12）の底部には、熱源水が貯留している。そして、蒸発部（10）は、第１低圧空間（12）に貯留する熱源水の一部が残りの熱源水から蒸発潜熱を奪って蒸発するように構成されている。また、給水管（24）は、蒸発分に見合った量の水を第１低圧空間（12）に補給するように構成されている。この給水管（24）は、第１低圧空間（12）内に水を散布するように構成されている。
【０１１９】
《発明の実施形態６》
本発明の実施形態６は、本発明に係るヒートポンプで生成する温熱を利用して暖房を行うと同時に加湿も行う空調機である。
【０１２０】
図１４に示すように、上記空調機は、蒸発部（10）と、昇圧手段である圧縮機（50）と、水蒸気放出部（30）と、凝縮部（40）とを備えている。蒸発部（10）は、吸入配管（53）を介して圧縮機（50）の吸入側に接続されている。圧縮機（50）の吐出側には、吐出配管（52）が接続されている。吐出配管（52）は他端側で第１分岐管（56）と第２分岐管（57）とに分岐され、第１分岐管（56）が水蒸気放出部（30）に、第２分岐管（57）が凝縮部（40）にそれぞれ接続されている。また、第１分岐管（56）には第１蒸気弁（58）が設けられ、第２分岐管（57）には第２蒸気弁（59）が設けられている。
【０１２１】
上記蒸発部（10）は、密閉容器状に形成されている。蒸発部（10）の内部は、透湿膜（11）によって第１低圧空間（12）と水側空間（14）とに仕切られている。第１低圧空間（12）は、所定の減圧状態（例えば６．５mmHg程度）とされている。この第１低圧空間（12）には、上記吸入配管（53）が開口している。
【０１２２】
蒸発部（10）の透湿膜（11）は、水蒸気透過性高分子膜又は水蒸気透過性無機材料膜から成り、水蒸気を透過させるように構成されている。一方、水側空間（14）には熱源水が満たされ、この熱源水が上記透湿膜（11）の表面と接触する。この水側空間（14）は、大気圧状態とされている。そして、上記蒸発部（10）は、水側空間（14）の熱源水から蒸発した水蒸気が透湿膜（11）を透過して第１低圧空間（12）へ移動するように構成されている。
【０１２３】
また、蒸発部（10）には給水管（24）が接続されている。この給水管（24）は、蒸発分に見合った量の水を第１低圧空間（12）に補給するように構成されている。
【０１２４】
上記圧縮機（50）は、蒸発部（10）の第１低圧空間（12）から水蒸気を吸引し、吸引した水蒸気を圧縮して昇圧させる。この圧縮機（50）は、昇圧した水蒸気を吐出配管（52）へ送り込む。
【０１２５】
上記水蒸気放出部（30）は、室内空間（200）に設置されている。この水蒸気放出部（30）は、容器状に形成され、その内部には透湿膜（31）によって第２低圧空間（32）が区画されている。この第２低圧空間（32）には、吐出配管（52）の第１分岐管（56）が開口している。従って、第２低圧空間（32）には、圧縮機（50）で昇圧された水蒸気がの一部導入される。また、水蒸気放出部（30）では、透湿膜（31）を挟んで第２低圧空間（32）と反対側に第２空気空間（33）が形成されている。この第２空気空間（33）には、大気である室内空気が導入され、この室内空気が透湿膜（31）の表面と接触する。上記透湿膜（31）は、蒸発部（10）のものと同様に、水蒸気を透過させるように構成されている。そして、水蒸気放出部（30）は、透湿膜（31）を透過させて水蒸気を第２低圧空間（32）から室内空気中へ放出するように構成されている。
【０１２６】
上記凝縮部（40）は、密閉容器状に形成されている。凝縮部（40）の内部は、透湿膜（41）によって第３低圧空間（42）と水側空間（43）とに仕切られている。この第３低圧空間（42）には、吐出配管（52）の第２分岐管（57）が開口している。また、凝縮部（40）の透湿膜（41）は、蒸発部（10）のものと同様に、水蒸気を透過させるように構成されている。一方、水側空間（43）には熱媒水が満たされ、この熱媒水が上記透湿膜（41）の表面と接触する。この水側空間（43）は、大気圧状態とされている。そして、凝縮部（40）は、第３低圧空間（42）の水蒸気を水側空間（43）へ移動させて凝縮させ、水蒸気の凝縮熱によって熱媒水を加熱するように構成されている。
【０１２７】
上記凝縮部（40）の水側空間（43）には、利用側回路（45）が接続されている。この利用側回路（45）は、上記実施形態５のものと同様に構成されている。つまり、利用側回路（45）には、室内熱交換器（46）と循環ポンプ（47）とが設けられ、水側空間（43）と室内熱交換器（46）の間で熱媒水を循環させる。また、室内熱交換器（46）がファンコイルユニットに収納されて室内空間（200）に設置されている点も、上記実施形態５と同様である。更に、利用側回路（45）に排水管（48）が接続されている点も、上記実施形態５と同様である。
【０１２８】
−運転動作−
暖房運転時の動作について説明する。
【０１２９】
蒸発部（10）の水側空間（14）では、熱源水の一部が残りの熱源水から蒸発潜熱を奪って蒸発する。蒸発した水蒸気は、透湿膜（11）を透過して第１低圧空間（12）へ移動する。一方、給水管（24）からは、蒸発量に見合った量の水が蒸発部（10）の水側空間（14）に補給される。
【０１３０】
上記第１低圧空間（12）の水蒸気は、吸入配管（53）を通って圧縮機（50）に吸引される。圧縮機（50）は、吸引した水蒸気を圧縮して昇圧させ、昇圧後の水蒸気を吐出配管（52）へ送り込む。吐出配管（52）に送り込まれた水蒸気は、第１分岐管（56）と第２分岐管（57）とに分流される。
【０１３１】
第１分岐管（56）へ流入した水蒸気は、水蒸気放出部（30）の第２低圧空間（32）に導入される。一方、水蒸気放出部（30）の第２空気空間（33）には、室内空気が送り込まれる。上記第２低圧空間（32）の水蒸気は、透湿膜（31）を透過して第２空気空間（33）へ移動し、第２空気空間（33）の室内空気が加湿される。加湿された室内空気は、その後、室内に供給される。
【０１３２】
第２分岐管（57）へ流入した水蒸気は、凝縮部（40）の第３低圧空間（42）に導入される。該第３低圧空間（42）の水蒸気は、透湿膜（41）を透過して水側空間（43）へ移動する。移動した水蒸気は、水側空間（43）の熱媒水と接触して凝縮し、その凝縮熱によって熱媒水が加熱される。加熱された熱媒水は、室内熱交換器（46）に送られる。室内熱交換器（46）では、熱媒水と室内空気とが熱交換し、室内空気が加熱される。放熱した熱媒水は、再び凝縮部（40）の水側空間（43）に送られて加熱され、この循環を繰り返す。また、凝縮部（40）での凝縮分に対応する量の水を排水管（48）から排出し、利用側回路（45）内の熱媒水の量を一定に保持する。
【０１３３】
従って、本実施形態によれば、水蒸気放出部（30）において室内空気の加湿を行うことができる。このため、室内空気の加熱だけでなく加湿をも行うことができ、快適性の向上を図ることができる。
【０１３４】
【発明のその他の実施の形態】
−第１変形例−
第１変形例は、上記各実施形態における水蒸気放出部（30）に抽気管（65）を設けるものである。以下、抽気管（65）の構成について、図１５を参照しながら説明する。尚、図１５は、本変形例に係る抽気管（65）を上記実施形態３（図５参照）に適用した場合を例示している。
【０１３５】
上記抽気管（65）は、抽気弁（66）を介して水蒸気放出部（30）に接続されている。この抽気管（65）は、一端側で第２低圧空間（32）に開口し、他端側で室外に開口している。抽気管（65）の他端側には、抽気ポンプ（67）が設けられている。そして、抽気管（65）は、第２低圧空間（32）の所定位置に開口し、抽気ポンプ（67）によって第２低圧空間（32）に溜まった空気等の水蒸気以外のガスを排気する抽気手段を構成する。
【０１３６】
−第２変形例−
第２変形例は、上記各実施形態において、圧縮機（50）に代えて吸収側回路（90）を設けるものである。つまり、昇圧手段を吸収側回路（90）によって構成するものである。以下、吸収側回路（90）の構成について、図１６を参照しながら説明する。尚、図１６は、本変形例に係る吸収側回路（90）を上記実施形態３（図５参照）に適用した場合を例示している。
【０１３７】
吸収側回路（90）は、吸収部（91）、再生部（95）及び溶液ポンプ（99）を備え、吸収部（91）と再生部（95）の間で吸収溶液を循環させるように構成されている。吸収溶液は、例えば臭化リチウム水溶液や塩化リチウム水溶液から成り、吸収媒体を構成している。また、吸収側回路（90）には、溶液熱交換器（100）が設けられている。この溶液熱交換器（100）は、吸収部（91）から再生部（95）へ送られる吸収溶液と、再生部（95）から吸収部（91）へ送られる吸収溶液とを互いに熱交換させる。
【０１３８】
上記吸収部（91）は、密閉容器状に形成されている。吸収部（91）の内部は、透湿膜（92）によって水蒸気空間（93）と溶液空間（94）とに仕切られている。この透湿膜（92）は、水蒸気を透過させるように構成されている。上記水蒸気空間（93）は、蒸発部（10）の第１低圧空間（12）と蒸気配管（51）で接続され、第１低圧空間（12）の水蒸気が導入される。上記溶液空間（94）は、吸収溶液で満たされている。溶液空間（94）に臨む上記透湿膜（92）の表面は、吸収溶液と接触する。そして、吸収部（91）は、水蒸気空間（93）の水蒸気を溶液空間（94）へ移動させ、該溶液空間（94）の吸収溶液に吸収させるように構成されている。
【０１３９】
また、吸収部（91）の溶液空間（94）には、冷却熱交換器（101）が設置されている。この冷却熱交換器（101）には、冷却塔などで冷却された冷却水が供給される。そして、冷却熱交換器（101）は、供給された冷却水と溶液空間（94）の吸収溶液を熱交換させ、該吸収溶液を冷却するように構成されている。
【０１４０】
上記再生部（95）は、密閉容器状に形成されている。再生部（95）の内部は、透湿膜（96）によって水蒸気空間（97）と溶液空間（98）とに仕切られている。この透湿膜（96）は、水蒸気を透過させるように構成されている。上記溶液空間（98）は、吸収溶液で満たされている。溶液空間（98）に臨む上記透湿膜（96）の表面は、吸収溶液と接触する。一方、上記水蒸気空間（97）は、水蒸気放出部（30）の第２低圧空間（32）と蒸気配管（51）で接続されている。この再生部（95）は、溶液空間（98）の吸収溶液を加熱し、該吸収溶液を再生するように構成されている。また、再生部（95）は、溶液空間（98）の吸収溶液から蒸発した水蒸気を水蒸気空間（97）へ移動させ、水蒸気空間（97）の水蒸気を水蒸気放出部（30）の第２低圧空間（32）へ送り込む。
【０１４１】
そして、吸収側回路（90）は、吸収部（91）の溶液空間（94）と再生部（95）の溶液空間（98）との間で吸収溶液を循環させ、蒸発部（10）の第１低圧空間（12）から吸引した水蒸気を昇圧して水蒸気放出部（30）の第２低圧空間（32）へ送り込む。
【０１４２】
具体的に、蒸発部（10）の第１低圧空間（12）の水蒸気は、吸収部（91）の水蒸気空間（93）へ導入される。吸収部（91）の水蒸気空間へ送り込まれた水蒸気は、透湿膜（92）を透過して溶液空間（94）の吸収溶液に吸収される。水蒸気を吸収して濃度低下した吸収溶液は、溶液ポンプ（99）によって再生部（95）の溶液空間（98）に送られる。その間、該吸収溶液は、溶液熱交換器（100）において再生部（95）で再生された吸収溶液と熱交換して予熱され、その後に再生部（95）の溶液空間（98）へ送られる。
【０１４３】
再生部（95）の溶液空間では、吸収溶液が加熱される。加熱された吸収溶液からは水分が蒸発し、該吸収溶液が再生される。再生されて濃度上昇した吸収溶液は、吸収部（91）の溶液空間（94）へと送り返される。一方、吸収溶液から蒸発した水蒸気は、透湿膜（96）を透過して水蒸気空間（97）へ移動する。該水蒸気空間（97）の水蒸気は、その後、凝縮部（40）の第２低圧空間（32）へ送り込まれる。つまり、吸収側回路（90）は、蒸発部（10）の第１低圧空間（12）から低圧の水蒸気を吸引する一方、この吸引した水蒸気よりも圧力の高い水蒸気を水蒸気放出部（30）の第２低圧空間（32）へ送り込む。
【０１４４】
−第３変形例−
第３変形例は、上記各実施形態において、圧縮機（50）に代えてボイラ（115）とエゼクタ（110）とを設けるものである。つまり、昇圧手段を、水蒸気発生手段であるボイラ（115）とエゼクタ（110）とによって構成するものである。以下、本変形例における昇圧手段の構成について、図１７及び図１８を参照しながら説明する。尚、図１７は、本変形例に係る昇圧手段を上記実施形態３（図５参照）に適用した場合を例示している。
【０１４５】
上記ボイラ（115）は、水を加熱して水蒸気を発生させるように構成されている。このボイラ（115）は、エゼクタ（110）に水蒸気を供給している。尚、ボイラ（115）で生成される水蒸気の圧力は、水蒸気放出部（30）の第２低圧空間（32）における水蒸気の圧力よりも高く設定されている。
【０１４６】
上記エゼクタ（110）は、図１８に示すように、管状に構成されている。エゼクタ（110）には、一端側における端面に導入口（111）が形成され、側面に吸引口（112）が形成されている。また、エゼクタ（110）は、他端面に排出口（113）が開口している。更に、エゼクタ（110）は、一端側から他端側に向かって、直径が縮小した後に拡大する形状に形成されている。
【０１４７】
上記エゼクタ（110）は、導入口（111）が上記ボイラ（115）と接続され、吸引口（112）が蒸発部（10）の第１低圧空間（12）と接続され、排出口（113）が水蒸気放出部（30）の第２低圧空間（32）と接続されている。そして、エゼクタ（110）は、導入口（111）から送り込まれた水蒸気を高速で噴出させ、この噴流によって吸引口（112）から水蒸気を吸引する。また、エゼクタ（110）内では第１低圧空間（12）から吸引された水蒸気とボイラ（115）から供給された水蒸気とが合流し、合流後の水蒸気が排出口（113）から第２低圧空間（32）に送り込まれる。つまり、エゼクタ（110）から第２低圧空間（32）へ送られる水蒸気の圧力は、第１低圧空間（12）における水蒸気の圧力よりも高くなっている。従って、ボイラ（115）及びエゼクタ（110）が昇圧手段を構成している。
【０１４８】
以上の構成により、本変形例によれば、ボイラ（115）で水蒸気を発生させることによって空調機を運転することができる。つまり、電力を用いることなく、熱のみによって空調機を駆動することが可能となる。
【図面の簡単な説明】
【図１】  実施形態１に係る空調機の概略構成図である。
【図２】  実施形態１に係る空調機の圧縮機における昇圧比の削減を説明するための乾球温度と水蒸気圧との関係図である。
【図３】  実施形態１の変形例に係る空調機の概略構成図である。
【図４】  実施形態２に係る空調機の概略構成図である。
【図５】  実施形態３に係る空調機の概略構成図である。
【図６】  実施形態３及び４に係る空調機における室内空気の冷却過程を説明するための湿り空気線図である。
【図７】  実施形態３に係る空調機の圧縮機における昇圧比の削減を説明するための乾球温度と水蒸気圧との関係図である。
【図８】  実施形態４に係る空調機の概略構成図である。
【図９】  実施形態５に係る空調機における冷房運転時の状態を示す概略構成図である。
【図１０】  実施形態５に係る空調機における暖房運転時の状態を示す概略構成図である。
【図１１】  参考技術に係る空調機の概略構成図である。
【図１２】  参考技術の変形例１に係る空調機の概略構成図である。
【図１３】  参考技術の変形例２に係る空調機の概略構成図である。
【図１４】  実施形態６に係る空調機の概略構成図である。
【図１５】  その他の実施形態（第１変形例）に係る空調機の概略構成図である。
【図１６】  その他の実施形態（第２変形例）に係る空調機の概略構成図である。
【図１７】  その他の実施形態（第３変形例）に係る空調機の概略構成図である。
【図１８】  その他の実施形態（第３変形例）に係るエゼクタの概略構成図である。
【符号の説明】
（10）  蒸発部
（11）  透湿膜
（12）  第１低圧空間
（13）  第１空気空間
（15）  水蒸気分離部
（25）  加湿冷却部
（30）  水蒸気放出部
（31）  透湿膜
（32）  第２低圧空間
（35）  空気加熱路（加熱手段）
（40）  凝縮部
（41）  透湿膜
（42）  第３低圧空間
（50）  圧縮機（昇圧手段）
（65）  抽気手段
（90）  吸収側回路（昇圧手段）
（110） エゼクタ
（115） ボイラ（水蒸気発生手段）
【図１】
0004529204.tif 000002
【図２】
0004529204.tif 000003
【図３】
0004529204.tif 000004
【図４】
0004529204.tif 000005
【図５】
0004529204.tif 000006
【図６】
0004529204.tif 000007
【図７】
0004529204.tif 000008
【図８】
0004529204.tif 000009
【図９】
0004529204.tif 000010
【図１０】
0004529204.tif 000011
【図１１】
0004529204.tif 000012
【図１２】
0004529204.tif 000013
【図１３】
0004529204.tif 000014
【図１４】
0004529204.tif 000015
【図１５】
0004529204.tif 000016
【図１６】
0004529204.tif 000017
【図１７】
0004529204.tif 000018
【図１８】
0004529204.tif 000019